(57)【特許請求の範囲】
【請求項１】
上部枠体と、底板と、上部枠体及び底板に対して夫夫回動し得るように取り付けられ、且つ連結軸で内側に折り曲がれるように連結された上部側板と下部側板とから成る対向する一対の側板と、上部枠体に対して回動し得るように取り付けられた対向する一対のあおり板とを有し、少なくとも一方の側板に角形開口部が形成されるとともに該角形開口部を開閉する開閉蓋を有する折り畳み運搬容器に於いて、側板の角形開口部の左右周縁に対向した案内溝が形成され、開閉蓋が上部扉体と、該上部扉体に連結された扉体係止具と、該扉体係止具に連結された下部扉体とから成り、上部扉体と扉体係止具とは扉体係止具と下部扉体とが一体となって内側に折り曲がれるように連結されるとともに扉体係止具と下部扉体とは上部扉体と扉体係止具とが一体となって外側に折り曲がれるように連結され、上部扉体の上端左右から突出した突出部が側板の案内溝内に係止され、下部扉体の下端が側板の案内溝の下端付近に回動し得るように取り付けられ、且つスプリングの弾力によって蓋体係止具の左右から突出した突出部が側板の案内溝に係止させることにより、角形開口部が開閉蓋によって閉鎖されることを特徴とする折り畳み運搬容器。
【請求項２】
扉体係止具が係止主体部と、該係止主体部に横方向に移動可能に取り付けられた左側係止片と、右側係止片とを有し、スプリングの弾力によって左側係止片及び右側係止片に形成された突出部が案内溝内に突出して係止される請求項１記載の折り畳み運搬容器。
【請求項３】
上部枠体、底板、上部側板、下部側板、あおり板、上部扉体、扉体係止具及び下部扉体が合成樹脂によって形成されている請求項１記載の折り畳み運搬容器。
【請求項４】
上部扉体、扉体係止具及び下部扉体が透明な合成樹脂によって形成されている請求項３記載の折り畳み運搬容器。
【請求項５】
上部扉体、扉体係止具及び下部扉体がポリカーボネートによって形成されている請求項４記載の折り畳み運搬容器。
【発明の詳細な説明】
【０００１】
【発明の属する技術分野】
本発明は、種々の物品を運搬する際に使用する折り畳み運搬容器に関し、特に容器として組み立てた際に側板に物品を収納したり、物品を取り出す為の角形開口部を有し、且つ該角形開口部に開閉自在な開閉蓋を有する折り畳み運搬容器に関する。
【０００２】
【従来の技術】
特公平５−２５７４３号公報には、上部枠体と、底板と、上部枠体及び底板に対して夫夫回動し得るように取り付けられ、且つ連結軸で内側に折り曲がれるように連結された上部側板と下部側板とから成る側板と、上部枠体に対して回動し得るように取り付けられたあおり板とを有し、側板に開口部が形成されるとともに該開口部に開閉蓋が取り付けられた折り畳み運搬容器が記載されている。
【０００３】
しかしながら、特公平５−２５７４３号公報に記載された折り畳み運搬容器は、開閉蓋を開いた際に特公平５−２５７４３号公報、第２図に示されているように開閉蓋が大きく下方に垂れ下がる為に、折り畳み運搬容器を多段に積重ねて上段の折り畳み運搬容器の開閉扉を開くと、上段の折り畳み運搬容器の開閉蓋が大きく下方に垂れ下がって下段の折り畳み運搬容器の開口部を塞ぎ、下段の折り畳み運搬容器から物品を取り出したり、下段の折り畳み運搬容器に物品を収納することが困難となった。
【０００４】
【発明が解決しようとする課題】
本発明者等は、側板に開口部を有し、該開口部に開閉蓋が取り付けられた折り畳み運搬容器を多段に積重ね、上段の容器の開閉扉を開いた際に、下段の容器から物品を容易に取り出したり、下段の容器に物品を容易に収納することができる折り畳み運搬容器について鋭意研究を進めた結果、本発明に到達した。
【０００５】
【課題を解決するための手段】
本発明は、上部枠体と、底板と、上部枠体及び底板に対して夫夫回動し得るように取り付けられ、且つ連結軸で内側に折り曲がれるように連結された上部側板と下部側板とから成る対向する一対の側板と、上部枠体に対して回動し得るように取り付けられた対向する一対のあおり板とを有し、少なくとも一方の側板に角形開口部が形成されるとともに該角形開口部を開閉する開閉蓋を有する折り畳み運搬容器に於いて、側板の角形開口部の左右周縁に対向した案内溝が形成され、開閉蓋が上部扉体と、該上部扉体に連結された扉体係止具と、該扉体係止具に連結された下部扉体とから成り、上部扉体と扉体係止具とは扉体係止具と下部扉体とが一体となって内側に折り曲がれるように連結されるとともに扉体係止具と下部扉体とは上部扉体と扉体係止具とが一体となって外側に折り曲がれるように連結され、上部扉体の上端左右から突出した突出部が側板の案内溝内に係止され、下部扉体の下端が側板の案内溝の下端付近に回動し得るように取り付けられ、且つスプリングの弾力によって蓋体係止具の左右から突出した突出部が側板の案内溝に係止させることにより、角形開口部が開閉蓋によって閉鎖されることを特徴とする折り畳み運搬容器に関する。
【０００６】
本発明は、扉体係止具が係止主体部と、該係止主体部に横方向に移動可能に取り付けられた左側係止片と、右側係止片とを有し、スプリングの弾力によって左側係止片及び右側係止片に形成された突出部が案内溝内に突出して係止される前記折り畳み運搬容器に関する。
【０００７】
本発明は、上部枠体、底板、上部側板、下部側板、あおり板、上部扉体、扉体係止具及び下部扉体が合成樹脂によって形成されている前記折り畳み運搬容器に関する。
【０００８】
本発明は、上部扉体、扉体係止具及び下部扉体が透明な合成樹脂によって形成されている前記折り畳み運搬容器に関する。
本発明は、上部扉体、扉体係止具及び下部扉体がポリカーボネートによって形成されている前記折り畳み運搬容器に関する。
【０００９】
【発明の実施の形態】
以下、図面に従って本発明を説明する。
図１は本発明に係わる折り畳み運搬容器の一例を示す平面図であり、図２は図１に示した折り畳み運搬容器の正面図であり、図３は図１に於ける線Ａ−Ａに沿った断面図であり、図４は図１に於ける線Ｂ−Ｂに沿った断面図であり、図５は図１に示した折り畳み運搬容器の右側面図であり、図６は図１に示した折り畳み運搬容器の背面図であり、図７は図１に示した折り畳み運搬容器の部分分解斜視図であり、図８は図１に示した折り畳み運搬容器を折り畳んだ状態を示す部分断面図であり、図９は図１に示した折り畳み運搬容器の開閉扉を開いている状態を示す部分断面図である。
【００１０】
本発明に係わる折り畳み運搬容器は、上部枠体１と、底板２と、上部枠体１及び底板２に対して夫夫回動し得るように取り付けられ、且つ連結軸３で内側に折り曲がれるように連結された上部側板４と下部側板５とから成る対向する一対の側板６と、上部枠体１に対して回動し得るように取り付けられた対向する一対のあおり板７とを有している。
【００１１】
本発明に係わる折り畳み運搬容器に於いては、少なくとも一方の側板６に角形開口部８が形成され、且つ該角形開口部８の左右周縁に対向した案内溝９及び案内溝９’が形成されている。
【００１２】
本発明に係わる折り畳み運搬容器に於いて、角形開口部８を開閉する開閉蓋１０は、上部扉体１１と、該上部扉体１１に連結された扉体係止具１２と、該扉体係止具１２に連結された下部扉体１３とを有している。
【００１３】
上部扉体１１と扉体係止具１２とは、連結軸１４によって連結されている。上部扉体１１と扉体係止具１２とは、連結軸１４によって内側に折り曲げることができるが、上部扉体１１の下端内面と扉体係止具１２の上端外面が接触することによって外側に折り曲げることができない。また、連結軸１４によって上部扉体１１と扉体係止具１２とを内側に折り曲げた際に、扉体係止具１２の下端内面と下部扉体１３の上端外面が接触することによって下部扉体１３が扉体係止具１２と一体となって折り曲げられる。
【００１４】
扉体係止具１２と下部扉体１３とは、連結軸１５によって連結されている。扉体係止具１２と下部扉体１３とは、連結軸１５によって外側に折り曲げることができるが、扉体係止具１２の下端内面と下部扉体１３の上端外面が接触することによって内側に折り曲げることができない。また、連結軸１５によって扉体係止具１２と下部扉体１３とを外側に折り曲げた際に、上部扉体１１の下端内面と扉体係止具１２の上端外面が接触することによって上部扉体１１が扉体係止具１２と一体となって折り曲げられる。
【００１５】
上部扉体１１の上端左右から突出した突出部１６及び突出部１６’が側板６の案内溝９及び案内溝９’内に係止されている。
下部扉体１３の下端左右が連結軸１７及び連結軸１７’によって側板６の案内溝９及び案内溝９’の下端付近に回動し得るように取り付けられている。
【００１６】
本発明に係わる折り畳み運搬容器に於いて、扉体係止具１２は係止主体部１８と、該係止主体部１８の左側２重壁部１９に横方向に移動可能に取り付けられた左側係止片２０と、係止主体部１８の右側２重壁部１９’に横方向に移動可能に取り付けられた右側係止片２０’とを有し、スプリング２１の弾力によって左側係止片２０に形成された突出部２２を案内溝９内に突出させて係止させるとともにスプリング２１’の弾力によって右側係止片２０’に形成された突出部２２’を案内溝９’内に突出させて係止させることにより、側板６の角形開口部８が開閉蓋１０によって閉鎖される。
【００１７】
本発明に係わる折り畳み運搬容器に於いて、角形開口部８の開閉蓋１０を開くには、左側係止片２０の取手２３と右側係止片２０’の取手２３’とに指を掛け、スプリング２１及びスプリング２１’の弾力に抗する力を加えて左側係止片２０及び右側係止片２０’を横方向に移動させ、図２左半分に示すように左側係止片２０の突出部２２を案内溝９から引っ込めるとともに右側係止片２０’の突出部２２’を案内溝９’から引っ込めた後に、図９に示すように連結軸１５によって蓋体係止具１２と下部扉体１３とを外側に折り曲げつつ上部扉体１１の突出部１６及び突出部１６’をそれぞれ案内溝９及び案内溝９’内で下降させればよい。
【００１８】
また、本発明に係わる折り畳み運搬容器に於いて、角形開口部８を開閉蓋１０で閉鎖するには、連結部１５によって蓋体係止部１２と下部蓋体１３とを内側に折り曲げつつ上部扉体１１の突出部１６及び突出部１６’をそれぞれ案内溝９及び案内溝９’内で上昇させ、左側係止片２０の取手２３と右側係止片２０’の取手２３’とに指を掛け、スプリング２１及びスプリング２１’の弾力に抗する力を加えて左側係止片２０及び右側係止片２０’を横方向に移動させ、左側係止片２０の突出部２２及び右側係止片２０’の突出部２２’を蓋体係止部１２内に一旦引っ込めた後に、図２右半分に示すようにスプリング２１の弾力によって左側係止片２０の突出部２２を案内溝９内に突出させて係止させるとともにスプリング２１’の弾力によって右側係止片２０’の突出部２２’を案内溝９’内に突出させて係止させればよい。
【００１９】
本発明に係わる折り畳み運搬容器を折り畳むには、あおり板７を内側に回動させ、図８に示すように連結軸３で上部側板４と下部側板５とを内側に折り曲げるとともに連結軸１４で開閉蓋１０の上部扉体１１と扉体係止具１２とを内側に折り曲げればよい。
【００２０】
また、本発明に係わる折り畳み運搬容器を組み立てるには、あおり板７を外側に回動させてあおり板７の下端を底板２の周辺に係止させた後に、連結軸３で内側に折り曲げられていた上部側板４と下部側板５とを外側に折り曲げるとともに連結軸１４で内側に折り曲げられていた開閉蓋１０の上部扉体１１と扉体係止具１２とを外側に折り曲げればよい。
【００２１】
本発明に係わる折り畳み運搬容器に於いて、上部枠体１、底板２、上部側板４、下部側板５、あおり板７、上部扉体１１、扉体係止具１２及び下部扉体１３は、ポリエチレン、ポリプロピレン等の合成樹脂によって形成することができるが、上部扉体１１、扉体係止具１２及び下部扉体１３をポリカーボネート等の透明な合成樹脂によって形成すると、開閉蓋１０を閉鎖した状態で内部に収納した物品を点検することができる為に一層好ましい。
【００２２】
図示した折り畳み運搬容器に於いては、対向する側板６の一方にのみ角形開口部８を形成し、開閉蓋１０を取り付けているが、必要に応じて対向する側板６の両方に角形開口部８を形成し、開閉蓋１０を取り付けてもよい。
【００２３】
【発明の効果】
本発明に係わる折り畳み運搬容器は、開閉蓋１０を開いた際に、開閉蓋１０が大きく下方に垂れ下がることがない為に、折り畳み運搬容器を多段に積重ねて上段の折り畳み運搬容器の開閉蓋１０を開いても、開閉蓋１０を開いて下段の折り畳み運搬容器から物品を容易に取り出したり、物品を容易に収納することができる。
【図面の簡単な説明】
【図１】本発明に係わる折り畳み運搬容器の一例を示す平面図である。
【図２】図１に示した折り畳み運搬容器の正面図である。
【図３】図１に於ける線Ａ−Ａに沿った断面図である。
【図４】図１に於ける線Ｂ−Ｂに沿った断面図である。
【図５】図１に示した折り畳み運搬容器の右側面図である。
【図６】図１に示した折り畳み運搬容器の背面図である。
【図７】図１に示した折り畳み運搬容器の部分分解斜視図である。
【図８】図１に示した折り畳み運搬容器を折り畳んだ状態を示す部分断面図である。
【図９】図１に示した折り畳み運搬容器の開閉扉を開いている状態を示す部分断面図である。
【符号の説明】
１  上部枠体
２  底板
３  連結軸
４  上部側板
５  下部側板
６  側板
７  あおり板
８  角形開口部
９、９’  案内溝
１０  開閉蓋
１１  上部扉体
１２  扉体係止具
１３  下部扉体
１６、１６’  突出部
１８  係止主体部
２０  左側係止片
２０’  右側係止片
２１、２１’  スプリング
２２、２２’  突出部
【図１】
0003743074.tif 000002
【図２】
0003743074.tif 000003
【図３】
0003743074.tif 000004
【図４】
0003743074.tif 000005
【図５】
0003743074.tif 000006
【図６】
0003743074.tif 000007
【図７】
0003743074.tif 000008
【図８】
0003743074.tif 000009
【図９】
0003743074.tif 000010